(57)【要約】      （修正有）【課題】簡易な作業且つ安価なコストで浴室内への設置が可能な浴室用ドライヤー、及び浴室用ドライヤー付き照明を提供する。【解決手段】浴室内の照明２を電源として駆動し、入浴者の身体に付着した水滴を除去する浴室用ドライヤー３であって、外部へ空気を噴き出し可能なドライヤー本体１６と、照明２を構成する電球ソケット部５に装着され、電球Ｌ及びドライヤー本体１６へ並列に電力を供給可能な電力分岐ソケット１４と、を備える。【選択図】図１
0003227095.tif 000002
【実用新案登録請求の範囲】
【請求項１】
浴室内の照明を電源として駆動し、入浴者の身体に付着した水滴を除去する浴室用ドライヤーであって、
外部へ空気を噴き出し可能なドライヤー本体と、
前記照明を構成する電球ソケット部に装着され、電球及び前記ドライヤー本体へ並列に電力を供給可能な電力分岐ソケットと、
を備えることを特徴とする浴室用ドライヤー。
【請求項２】
前記照明が、前記電球ソケット部を支持して浴室の内壁に固定される内壁固定部と、前記内壁固定部によって保持されて電球の周囲を覆うフード部と、を有し、
前記内壁固定部に取り付け可能であって、且つ、前記フード部を保持可能な中間接続部材と、
前記中間接続部材を貫通して延び、前記電力分岐ソケットと前記ドライヤー本体とを電気的に接続する電源ケーブルと、
を更に備えることを特徴とする請求項１に記載の浴室用ドライヤー。
【請求項３】
前記フード部及び前記内壁固定部のうち、何れか一方には雄ネジが、他方にはそれに螺合する雌ネジがそれぞれ形成され、
前記中間接続部材には、前記内壁固定部に螺合可能な内壁側ネジ部が形成されると共に、前記フード部に螺合可能なフード側ネジ部が形成されていることを特徴とする請求項１又は２に記載の浴室用ドライヤー。
【請求項４】
前記電源ケーブルが、
前記中間接続部材を貫通して、一端部が前記電力分岐ソケットに接続されると共に、他端部に第一端子が設けられた第一ケーブルと、
一端部が前記ドライヤー本体に接続されると共に、前記第一端子と電気的に接続又は分離可能な第二端子が他端部に設けられた第二ケーブルと、
を備えることを特徴とする請求項２又は３に記載の浴室用ドライヤー。
【請求項５】
請求項２から４の何れか一項に記載の浴室用ドライヤーと、
浴室の内壁に固定される内壁固定部と、
前記内壁固定部によって支持されて、前記浴室用ドライヤーの前記電力分岐ソケットが装着される電球ソケット部と、
前記電力分岐ソケットに取り付けられる電球の周囲を覆い、前記浴室用ドライヤーの前記中間接続部材によって保持されるフード部と、
を備えることを特徴とする浴室用ドライヤー付き照明。
【考案の詳細な説明】
【技術分野】
【０００１】
本考案は、浴室内の照明を電源として駆動し入浴者の身体に付着した水滴を除去する浴室用ドライヤー、及び浴室用ドライヤー付き照明に関する。
【背景技術】
【０００２】
入浴時に身体に付着した水滴を除去する手段として、浴室に設けられて入浴者の身体に温風を吹き付ける浴室用ドライヤーが従来知られている。例えば、特許文献１に開示された浴室用ドライヤーは、その図２に示されるように、浴室内の壁面に保持されて温風を吹き出す温風器１５と、浴室外に設置されて温風器１５へ温風を送る送風装置３１と、温風器１５と送風装置３１とを連通させるエアホース２４とを備えている。そして、送風装置３１は、エアホース２４に向けて空気を送るファン３２と、該ファン３２によって送られる空気を加熱して温風とする熱源機３３とを有している。
【０００３】
また、特許文献２に開示された浴室用ドライヤーは、その図１及び図２に示されるように、浴室の壁面に設けられたコンセント１５と、このコンセント１５を覆うようにして壁面に取り付けられたドライヤホルダ１と、ドライヤホルダ１の内部に収納載置されるドライヤ本体２とを備えている。また、ドライヤ本体２の内部には、送風装置９及び発熱装置６が内蔵されている。そして、ドライヤ本体２から延びる電源コード１１の先端部には電源プラグ１２が設けられ、この電源プラグ１２がコンセント１５に接続されることにより、送風装置９及び発熱装置６が給電される。
【先行技術文献】
【特許文献】
【０００４】
【特許文献１】特開２００３−１６４３９１号公報
【特許文献２】実開平７−３５０６号公報
【考案の概要】
【考案が解決しようとする課題】
【０００５】
しかし、従来の浴室用ドライヤーは、浴室内への設置に際し、専門業者による電気工事や外壁工事が必要となるため、簡易な作業且つ安価なコストで設置することができないという問題を有している。例えば、特許文献１の浴室用ドライヤーの場合、浴室外に送風装置３１を設置する工事や、浴室の壁面を貫通させてエアホース２４を設置する工事等が必要となる。また、特許文献２の浴室用ドライヤーの場合、浴室の壁面にコンセント１５を設置する工事や、ドライヤホルダ１を壁面に取り付ける工事が必要となる。
【０００６】
そこで本考案は、かかる事情を考慮してなされたものであり、その目的は、簡易な作業且つ安価なコストで浴室内への設置が可能な浴室用ドライヤー、及び浴室用ドライヤー付き照明を提供することにある。
【課題を解決するための手段】
【０００７】
本考案の一の態様によれば、浴室内の照明を電源として駆動し、入浴者の身体に付着した水滴を除去する浴室用ドライヤーであって、外部へ空気を噴き出し可能なドライヤー本体と、前記照明を構成する電球ソケット部に装着され、電球及び前記ドライヤー本体へ並列に電力を供給可能な電力分岐ソケットと、を備えることを特徴とする浴室用ドライヤーが提供される。
【０００８】
なお、本考案の一の態様に係る浴室用ドライヤーにおいては、前記照明が、前記電球ソケット部を支持して浴室の内壁に固定される内壁固定部と、前記内壁固定部によって保持されて電球の周囲を覆うフード部と、を有し、前記内壁固定部に取り付け可能であって、且つ、前記フード部を保持可能な中間接続部材と、前記中間接続部材を貫通して延び、前記電力分岐ソケットと前記ドライヤー本体とを電気的に接続する電源ケーブルと、を更に備えてもよい。
【０００９】
また、本考案の一の態様に係る浴室用ドライヤーにおいては、前記フード部及び前記内壁固定部のうち、何れか一方には雄ネジが、他方にはそれに螺合する雌ネジがそれぞれ形成され、前記中間接続部材には、前記内壁固定部に螺合可能な内壁側ネジ部が形成されると共に、前記フード部に螺合可能なフード側ネジ部が形成されてもよい。
【００１０】
また、本考案の一の態様に係る浴室用ドライヤーにおいては、前記電源ケーブルが、前記中間接続部材を貫通して、一端部が前記電力分岐ソケットに接続されると共に、他端部に第一端子が設けられた第一ケーブルと、一端部が前記ドライヤー本体に接続されると共に、前記第一端子と電気的に接続又は分離可能な第二端子が他端部に設けられた第二ケーブルと、を備えてもよい。
【００１１】
また、本考案の他の態様によれば、請求項２から４の何れか一項に記載の浴室用ドライヤーと、浴室の内壁に固定される内壁固定部と、前記内壁固定部によって支持されて、前記浴室用ドライヤーの前記電力分岐ソケットが装着される電球ソケット部と、前記電力分岐ソケットに取り付けられる電球の周囲を覆い、前記浴室用ドライヤーの前記中間接続部材によって保持されるフード部と、を備えることを特徴とする浴室用ドライヤー付き照明が提供される。
【考案の効果】
【００１２】
本考案の一の態様に係る浴室用ドライヤー及び浴室用ドライヤー付き照明によれば、簡易な作業且つ安価なコストで浴室内への設置が可能となる。
【図面の簡単な説明】
【００１３】
【図１】本考案の実施形態に係る浴室用ドライヤー付き照明の構成を示す概略斜視図である。
【図２】本考案の実施形態に係る浴室用ドライヤーの構成を示す概略斜視図である。
【図３】変形例に係る浴室用ドライヤーを示す概略斜視図である。
【考案を実施するための形態】
【００１４】
以下、本考案の実施の形態に係る浴室用ドライヤー及び浴室用ドライヤー付き照明について、図面を参照しつつ説明する。
【００１５】
（実施形態に係る浴室用ドライヤー付き照明の構成）
図１は、本考案の実施形態に係る浴室用ドライヤー付き照明１の構成を示す概略斜視図である。浴室用ドライヤー付き照明１は、浴室内に設けられる照明２と、この照明２に取り付けられる浴室用ドライヤー３と、を備えるものである。
【００１６】
照明２は、内壁固定部４と、電球ソケット部５と、フード部６と、を有している。
【００１７】
内壁固定部４は、照明２を浴室内の内壁Ｗに固定する役割を果たす。ここで、本考案における浴室内の「内壁Ｗ」とは、鉛直方向に延びる壁面はもちろん、天井面や床面も含んだ概念を意味している。この内壁固定部４は、円錐台形状の外形を有し、その先端部には断面円形のフード取付穴７が形成されている。そして、このフード取付穴７の内周面には、所定ピッチの第一雌ネジ８が形成されている。なお、内壁固定部４の外形、及びフード取付穴７の断面形状や大きさ等は、適宜設計変更が可能である。
【００１８】
電球ソケット部５は、電球Ｌまたは浴室用ドライヤー３の取り付け用に使用される。この電球ソケット部５は、円柱形状の外形を有し、その先端部には断面円形の電球螺合穴９が形成されている。そして、この電球螺合穴９の内周面には、金属等の導電性部材で形成されて電球Ｌと螺合可能な第二雌ネジ１０が形成されている。このように構成される電球ソケット部５は、内壁固定部４のフード取付穴７の内部に配置され、図に詳細は示さないが、その基端部がフード取付穴７の底部に固定されることにより、内壁固定部４によって支持されている。また、この電球ソケット部５には、不図示の電気配線が接続されることにより、第二雌ネジ１０への通電が可能となっている。なお、電球螺合穴９の内径や第二雌ネジ１０のピッチは、取り付けようとする電球Ｌの口金部分Ｋの規格に応じて、適宜設計変更が可能である。
【００１９】
フード部６は、電球Ｌの周囲を覆って浴室内の湿気等から電球Ｌを保護する役割を果たす。このフード部６は、防水性を有する部材で形成され、その内部が空洞に形成されている。そして、フード部６は、円錐台形状の外形を有する本体部１１と、この本体部１１と連通して設けられて円筒形状の外形を有するねじ込み部１２と、を有する。そして、ねじ込み部１２の外周面には、内壁固定部４の第一雌ネジ８に螺合可能な第一雄ネジ１３が形成されている。なお、本体部１１の外形や大きさ等は、適宜設計変更が可能である。
【００２０】
浴室用ドライヤー３は、照明２を電源として駆動し、入浴者の身体に付着した水滴を除去する役割を果たす。図２は、本考案の実施形態に係る浴室用ドライヤー３の構成を示す概略斜視図である。浴室用ドライヤー３は、図１に示すように、電力分岐ソケット１４と、中間接続部材１５と、ドライヤー本体１６と、電源ケーブル１７と、を有している。
【００２１】
電力分岐ソケット１４は、電球Ｌ及びドライヤー本体１６へ並列に電力を供給する役割を果たす。この電力分岐ソケット１４は、図２に示すように、照明２の電球ソケット部５（図１参照）に装着される照明装着部１８と、電球Ｌが取り付けられる電球取付部１９と、を有している。
【００２２】
照明装着部１８は、円柱形状の外形を有し、その外周面には、金属等の導電性部材で形成されて電球ソケット部５（図１参照）の第二雌ネジ１０に螺合可能な第二雄ネジ２０が形成されている。一方、電球取付部１９は、照明装着部１８の先端部に接続して設けられ、円柱形状の外形を有している。この電球取付部１９の先端部には、断面円形の電球取付穴２１が形成されている。そして、この電球取付穴２１の内周面には、金属等の導電性部材で形成されて電球Ｌと螺合可能な第三雌ネジ２２が形成されている。この第三雌ネジ２２は、照明装着部１８の第二雄ネジ２０と電気的に接続されている。なお、電球取付穴２１の内径や第三雌ネジ２２のピッチは、取り付けようとする電球Ｌの口金部分Ｋの規格に応じて、適宜設計変更が可能である。
【００２３】
中間接続部材１５は、照明２（図１参照）の内壁固定部４とフード部６との間に介在して、電源ケーブル１７の通り道としての役割を果たす。この中間接続部材１５は、防水性を有する樹脂等から形成されて、図２に示すように、照明２の内壁固定部４に取り付けられる照明取付部２３と、フード部６を保持するフード保持部２４と、を有している。
【００２４】
照明取付部２３は、図２に示すように、電力分岐ソケット１４より大径の円筒形状を有し、その外周面には、内壁固定部４（図１参照）の第一雌ネジ８に螺合可能な第三雄ネジ２５（本願に係る「内壁側ネジ部」）が形成されている。一方、フード保持部２４は、照明取付部２３の先端部に接続して設けられ、照明取付部２３より大径の円筒形状を有している。このフード保持部２４の内周面には、フード部６の第一雄ネジ１３に螺合可能な第四雌ネジ２６（本願に係る「フード側ネジ部」）が形成されている。また、フード保持部２４には、電源ケーブル１７を挿通させるためのケーブル挿通孔２７が形成されている。このケーブル挿通孔２７には、電源ケーブル１７との間の隙間を通って浴室内の湿気が中間接続部材１５の内部に浸入しないように、防水処理が施されていることが好ましい。
【００２５】
ドライヤー本体１６は、入浴者の身体に対して空気を吹き付ける役割を果たす。このドライヤー本体１６は、図２に示すように、入浴者が把持するための把持部２８と、電源のＯＮまたはＯＦＦを切り替えるための電源スイッチ２９と、外部へ空気を吹き出すための吹き出し口３０と、を有している。なお、ドライヤー本体１６としては、市販されているヘアードライヤーや携帯式の送風機等を用いることが可能である。また、入浴者が把持して使用するタイプのドライヤー本体１６に代えて、浴室内に固定設置されるタイプのドライヤー本体（不図示）を用いることも可能である。また、ドライヤー本体１６の内部で空気を加熱することで温風として、常温のまま送風として、或いは冷却することで冷風として、吹き出し口３０から吹き出すことが可能である。
【００２６】
電源ケーブル１７は、ドライヤー本体１６と電力分岐ソケット１４とを電気的に接続する役割を果たす。この電源ケーブル１７は、図２に示すように、中間接続部材１５のフード保持部２４に形成されたケーブル挿通孔２７に挿通されることにより、中間接続部材１５を貫通して延びている。そして、電源ケーブル１７は、その一端部がドライヤー本体１６に接続されると共に、その他端部が電力分岐ソケット１４の電球取付部１９に対して脱着可能に接続されている。この脱着可能な接続を実現するための構成としては、例えば、電球取付部１９の側にコンセント（不図示）を設ける一方、このコンセントに接続または分離可能な電源プラグ（不図示）を電源ケーブル１７の他端部に設けることが可能である。
なお、図に詳細は示さないが、この電源ケーブル１７の他端部は、電力分岐ソケット１４の照明装着部１８に対して電気的に接続されている。詳細には、電源ケーブル１７の他端部は、前述の照明装着部１８の第二雄ネジ２０と電球取付穴２１の第三雌ネジ２２との間の電気接続とは並列の関係において、照明装着部１８に対して電気的に接続されている。これにより、照明装着部１８から電球取付部１９の側と電源ケーブル１７の側とへ並列に電力を供給可能となっている。
【００２７】
（浴室用ドライヤー及び浴室用ドライヤー付き照明の作用効果）
上述のように構成される浴室用ドライヤー３によれば、簡易な作業且つ安価なコストにより、浴室内の照明２に対して取り付けることができる。具体的には、図１に示す照明２は、浴室用ドライヤー３の不使用時には、電球ソケット部５の電球螺合穴９に対して電球Ｌが螺合して取り付けられると共に、その電球Ｌの周囲を覆うフード部６が、内壁固定部４のフード取付穴７に対して螺合して取り付けられている。
【００２８】
浴室用ドライヤー３の使用時には、入浴者は、まず照明２のフード部６を内壁固定部４のフード取付穴７から取り外す。そして、それにより露出した電球Ｌを、電球ソケット部５の電球螺合穴９から取り外す。
【００２９】
次に、入浴者は、図１に示すように、浴室用ドライヤー３の電力分岐ソケット１４を、照明２の電球ソケット部５に取り付ける。詳細には、入浴者は、電力分岐ソケット１４の照明装着部１８を、電球ソケット部５の電球螺合穴９に対して螺合させて取り付ける。この時、図１に詳細は示さないが、電源ケーブル１７の他端部を電力分岐ソケット１４から分離させた状態にしておくのが好適である。これにより、中間接続部材１５から切り離した状態で、電力分岐ソケット１４だけを電球螺合穴９に対して螺合させて確実に取り付けることができる。
次に、入浴者は、浴室用ドライヤー３の中間接続部材１５を、照明２の内壁固定部４に取り付ける。詳細には、入浴者は、中間接続部材１５の照明取付部２３を、内壁固定部４のフード取付穴７に螺合させて取り付ける。この時、電源ケーブル１７の他端部が電力分岐ソケット１４から分離した状態となっているので、電力分岐ソケット１４から切り離した状態で、中間接続部材１５だけをフード取付穴７に対して螺合させて確実に取り付けることができる。その後、入浴者は、電源ケーブル１７の他端部を電力分岐ソケット１４に接続させる。
【００３０】
次に、入浴者は、図１に示すように、浴室用ドライヤー３の電力分岐ソケット１４に電球Ｌを取り付ける。詳細には、電力分岐ソケット１４の電球取付部１９に形成された電球取付穴２１に対し、電球Ｌを螺合させて取り付ける。次に、入浴者は、照明２のフード部６を、浴室用ドライヤー３の中間接続部材１５に取り付ける。詳細には、入浴者は、フード部６の本体部１１の内部に電球Ｌを収容するようにして、フード部６のねじ込み部１２を、中間接続部材１５のフード保持部２４に対して螺合させて取り付ける。これにより、照明２に対する浴室用ドライヤー３の取り付けが完了する。
【００３１】
そして、入浴者は、ドライヤー本体１６の把持部２８を把持し、電源スイッチ２９を操作することにより電源をＯＮにする。そうすると、図１に示す電球ソケット部５に供給された電力が、電力分岐ソケット１４及び電源コードを経て、ドライヤー本体１６へ供給される。これにより、ドライヤー本体１６が駆動され、その吹き出し口３０から空気が吹き出す。そして、入浴者が吹き出し口３０を身体の所定箇所に向けると、当該箇所に付着した水滴は、吹き出し口３０からの空気によって吹き落とされることにより、または吹き出し口３０から温風が吹き出す場合にはその熱で蒸発することにより、身体から除去される。
【００３２】
このように、本考案の浴室用ドライヤー３は、浴室内の照明２に装着して照明２を電源として駆動させることができるので、その設置に際し、浴室内にコンセントを設置するといった電気工事や、浴室の壁面を貫通させて配管を設置するといった外壁工事を行う必要がない。従って、簡易な作業且つ安価なコストで浴室内に浴室用ドライヤー３を設置することができる。また、前述のように、電力分岐ソケット１４が電球Ｌとドライヤー本体１６へ並列に電力を供給するので、電球Ｌの点灯時にドライヤー本体１６を使用しても、電力供給量の減少によって電球Ｌが暗くなりにくい。
【００３３】
また、本考案の浴室用ドライヤー付き照明１は、浴室内への設置に際し、照明２の設置のための電気工事や外壁工事を行うだけで足り、浴室用ドライヤー３の設置のために照明２とは別に電気工事や外壁工事を行う必要がない。従って、簡易な作業且つ安価なコストで浴室内に浴室用ドライヤー付き照明１を設置することができる。
【００３４】
（浴室用ドライヤーの変形例）
図３は、変形例に係る浴室用ドライヤー３１を示す概略斜視図である。この浴室用ドライヤー３１は、前述の浴室用ドライヤー３と比較すると、電源ケーブル３２の構成だけが異なり、それ以外の構成は同じである。従って、浴室用ドライヤー３と同じ構成に関しては、図３において図１と同じ符号を付し、ここでは説明を省略する。この浴室用ドライヤー３１の電源ケーブル３２は、中間接続部材１５を貫通して設けられて一端部が電力分岐ソケット１４に接続された第一ケーブル３３と、一端部がドライヤー本体１６に接続された第二ケーブル３４と、を有している。そして、第一ケーブル３３の他端部には、コンセント３５（本願に係る「第一端子」）が設けられている。一方、第二ケーブル３４の他端部には、第一ケーブル３３のコンセント３５に対して接続または分離させることが可能な電源プラグ３６（本願に係る「第二端子」）が設けられている。なお、ここでは第一ケーブル３３にコンセント３５を、第二ケーブル３４に電源プラグ３６をそれぞれ設けているが、これとは逆に、第一ケーブル３３に電源プラグ３６を、第二ケーブル３４にコンセント３５をそれぞれ設けることも可能である。
【００３５】
このように構成される浴室用ドライヤー３１によれば、入浴者は、浴室内の照明２に対して浴室用ドライヤー３１を取り付けまたは取り外す場合に、前述したように照明２のフード部６を内壁固定部４から取り外す作業を行うことなく、電源プラグ３６をコンセント３５に接続または分離させる作業を行うだけで、ドライヤー本体１６を取り外すことができる。従って、この浴室用ドライヤー３１によれば、浴室内の湿気が照明２の内部に浸入することによって生じる故障等のリスクが低減する、という利点がある。更に、この浴室用ドライヤー３１によれば、ドライヤー本体１６に故障が発生した場合にその交換作業を容易に行えるという利点や、入浴者の別によってドライヤー本体１６を使い分けることができるという利点もある。
【００３６】
（その他の変形例）
なお、本実施形態では、電力分岐ソケット１４で分岐した電力を、電源ケーブル１７を介してドライヤー本体１６へ供給した。そして、この電源ケーブル１７の通り道として、照明２の内壁固定部４とフード部６との間に中間接続部材１５を介在させた。しかし、電力分岐ソケット１４からドライヤー本体１６への電力の供給方法としては、非接触で電力供給を行う、いわゆるワイヤレス電力伝送（無線給電）の機能を電力分岐ソケット１４に持たせることも可能である。この場合、電源ケーブル１７が不要になると共に、中間接続部材１５も不要となる。
【００３７】
また、本実施形態では、照明２の内壁固定部４によってフード部６を保持するために、内壁固定部４の内周面に第一雌ネジ８を、フード部６の外周面に第一雄ネジ１３をそれぞれ形成した。しかし、図に詳細は示さないが、これとは逆に内壁固定部４の外周面に雄ネジを、フード部６の内周面に雌ネジをそれぞれ形成し、両者を螺合させてもよい。この場合、中間接続部材１５には、第三雄ネジ２５に代えて、内壁固定部４に螺合可能な雌ネジを形成し、第四雌ネジ２６に変えて、フード部６に螺合可能な雄ネジを形成すればよい。また、内壁固定部４によってフード部６を保持する手段としては、本実施形態のように両者に設けたネジ部同士の螺合に限られず、図に詳細は示さないが、内壁固定部４とフード部６の何れか一方に設けた鉤状の爪部を、他方に設けた係止穴に対して係止させることも可能である。この場合、中間接続部材１５には、第三雄ネジ２５や第四雌ネジ２６に代えて、内壁固定部４やフード部６と係止可能な爪部または係止穴を設ければよい。
【００３８】
なお、本考案の技術的範囲は上記の実施形態に限定されるものではなく、実用新案登録請求の範囲によって規定される本考案の趣旨を逸脱しない範囲内において、種々の変更を加えることが可能である。
【産業上の利用可能性】
【００３９】
本考案に係る浴室用ドライヤーは、浴室内の照明が設けられる位置に応じて、鉛直方向に延びる壁面だけでなく、天井面や床面にも設置することが可能である。
【符号の説明】
【００４０】
１  浴室用ドライヤー付き照明
２  照明
３，３１  浴室用ドライヤー
４  内壁固定部
５  電球ソケット部
６  フード部
１４  電力分岐ソケット
１５  中間接続部材
１６  ドライヤー本体
１７，３２  電源ケーブル
２５  第三雄ネジ（内壁側ネジ部）
２６  第四雌ネジ（フード側ネジ部）
３３  第一ケーブル
３４  第二ケーブル
３５  コンセント（第一端子）
３６  電源プラグ（第二端子）
Ｌ  電球
Ｗ  内壁
【図１】
0003227095.tif 000003
【図２】
0003227095.tif 000004
【図３】
0003227095.tif 000005
【手続補正書】
【提出日】令和2年4月22日(2020.4.22)
【手続補正１】
【補正対象書類名】実用新案登録請求の範囲
【補正対象項目名】請求項３
【補正方法】変更
【補正の内容】
【請求項３】
前記フード部及び前記内壁固定部のうち、何れか一方には雄ネジが、他方にはそれに螺合する雌ネジがそれぞれ形成され、
前記中間接続部材には、前記内壁固定部に螺合可能な内壁側ネジ部が形成されると共に、前記フード部に螺合可能なフード側ネジ部が形成されていることを特徴とする請求項２に記載の浴室用ドライヤー。